(57)【特許請求の範囲】
【請求項１】
荷物としてのロールを収容し、そのロールの芯材が水平に延びた横向き姿勢に保持するロール収容具において、
前記ロールを側方から包囲する筒形側壁と、
前記筒形側壁の下端部が嵌合した側壁下端嵌合部を外縁部に有し、前記筒形側壁の下面開口を閉塞した底盤と、
前記筒形側壁の上端部が嵌合した側壁上端嵌合部を外縁部に有し、前記筒形側壁の上面開口を閉塞した天盤と、
前記底盤上に載置されて自立した板状をなし、前記ロールを間に挟んで対向しかつ前記芯材の両端部を支持するための芯材支持溝を有して、前記ロールを空中に浮かせた状態に保持する１対のロール保持盤と、
前記底盤に形成されて、各前記ロール保持盤を前記底盤上で二次元的に位置決めする保持盤下端位置決部と、
前記天盤に形成されて、各前記ロール保持盤を前記芯材の軸方向で挟んで位置決めする保持盤上端位置決部とを備えたことを特徴とするロール収容具。
【請求項２】
前記天盤の外縁部のうち各前記ロール保持盤の横方向の延長上又はその延長上の近傍にバンド受容溝が形成されたことを特徴とする請求項１に記載のロール収容具。
【請求項３】
前記底盤を樹脂パレット上に載置してそれら樹脂パレットと前記底盤の外縁部同士を重ねたときに、前記樹脂パレットのフォーク挿入口の上方領域でかつ前記樹脂パレットの四隅の桁部寄りとなる位置に前記バンド受容溝を配置したことを特徴とする請求項２に記載のロール収容具。
【請求項４】
前記底盤の下面には、樹脂パレットのうち網構造のデッキボードにおける網目に凹凸係合して、前記底盤を前記樹脂パレットの上面に二次元的に位置決めする下面位置決突部が備えられていることを特徴とする請求項１乃至３の何れか１の請求項に記載のロール収容具。
【発明の詳細な説明】
【技術分野】
【０００１】
本発明は、ロール本体の両端面中央から芯材の両端部が突出した構造のロールを収容して、芯材が水平に延びた横向き姿勢に保持するロール収容具に関する。
【背景技術】
【０００２】
従来、この種のロール収容具として、上面開放の下箱と下面開放の上箱の開放面同士を接合してなる箱体の内側面に１対の板状のロール保持盤を重ねて対向配置したものが知られている。また、その各ロール保持盤には、上下に延びた芯材受容溝が形成され、下箱には、１対の側壁の上縁部に半円形の切欠部が形成され、さらに、上蓋には、１対の側壁の下縁部に半円形の切欠部が形成されている。そして、このロール収容具では、１対のロール保持盤を下箱の内側面に立て掛けて下箱の上面から突出させた状態に保持し、芯材の両端部をロール保持盤の芯材受容溝に沿って降下させて、芯材受容溝の下端部と下箱の切欠部に受容してから、上箱を下箱に重ね合わせ、ロールを収容した状態になる（例えば、特許文献１参照）。
【先行技術文献】
【特許文献】
【０００３】
【特許文献１】特開２００２−８００８７号公報（図１，図４）
【発明の概要】
【発明が解決しようとする課題】
【０００４】
しかしながら、上述した従来のロール収容具では、１対のロール保持盤を箱体の内側面に立て掛けて起立姿勢に保持する構成であるので、ロールの収容作業中にロール保持盤が倒れたり姿勢が変わることがある。また、そのような事態を防ぐためには、ロール保持盤を下箱にテープで貼り付けておくか、作業者が保持しておく必要があり、作業性が悪かった。
【０００５】
本発明は、上記事情に鑑みてなされたもので、従来より効率よくロールを収容する作業を行うことが可能なロール収容具の提供を目的とする。
【課題を解決するための手段】
【０００６】
上記目的を達成するためになされた請求項１の発明に係るロール収容具は、荷物としてのロールを収容し、そのロールの芯材が水平に延びた横向き姿勢に保持するロール収容具において、ロールを側方から包囲する筒形側壁と、筒形側壁の下端部が嵌合した側壁下端嵌合部を外縁部に有し、筒形側壁の下面開口を閉塞した底盤と、筒形側壁の上端部が嵌合した側壁上端嵌合部を外縁部に有し、筒形側壁の上面開口を閉塞した天盤と、底盤上に載置されて自立した板状をなし、ロールを間に挟んで対向しかつ芯材の両端部を支持するための芯材支持溝を有して、ロールを空中に浮かせた状態に保持する１対のロール保持盤と、底盤に形成されて、各ロール保持盤を底盤上で二次元的に位置決めする保持盤下端位置決部と、天盤に形成されて、各ロール保持盤を芯材の軸方向で挟んで位置決めする保持盤上端位置決部とを備えたところに特徴を有する。
【０００７】
請求項２の発明は、請求項１に記載のロール収容具において、天盤の外縁部のうち各ロール保持盤の横方向の延長上又はその延長上の近傍にバンド受容溝が形成されたところに特徴を有する。
【０００８】
請求項３の発明は、請求項２に記載のロール収容具において、底盤を樹脂パレット上に載置してそれら樹脂パレットと底盤の外縁部同士を重ねたときに、樹脂パレットのフォーク挿入口の上方領域でかつ樹脂パレットの四隅の桁部寄りとなる位置にバンド受容溝を配置したところに特徴を有する。
【０００９】
請求項４の発明は、請求項１乃至３の何れか１の請求項に記載のロール収容具において、底盤の下面には、樹脂パレットのうち網構造のデッキボードにおける網目に凹凸係合して、底盤を樹脂パレットの上面に二次元的に位置決めする下面位置決突部が備えられているところに特徴を有する。
【発明の効果】
【００１０】
［請求項１の発明］
請求項１のロール収容具では、１対のロール保持盤を底盤上で二次元的に位置決めして自立させておき、それら１対のロール保持盤の芯材支持溝にロールの芯材の両端部を支持させて、ロールを空中に浮かせた状態に保持することができる。そして、筒形側壁の下端部を底盤の側壁下端嵌合部に嵌合してから筒形側壁の上面開口を天盤で閉塞すると共に、その天盤の側壁上端嵌合部に筒形側壁の上端部を嵌合すれば、ロールがロール収容具に収容された状態になる。このように、本発明のロール収容具は、従来のように作業者がロール保持盤を起立状態に保持する等の手間が不要になり、効率よくロールを収容する作業を行うことができる。
【００１１】
［請求項２の発明］
請求項２のロール収容具では、天盤の外縁部のうち各ロール保持盤の横方向の延長上又はその近傍にバンド受容溝が配置されているので、天盤に対するバンドの締め付け力を、天盤のうち締め付け力の作用位置の近傍でロール保持盤にて受け止めることができ、天盤の変形が抑えられる。
【００１２】
［請求項３の発明］
請求項３のロール収容具では、底盤を樹脂パレット上に載置してそれら樹脂パレットと底盤の外縁部同士を重ねたときに、樹脂パレットのフォーク挿入口の上方領域でかつ樹脂パレットの四隅の桁部寄りとなる位置にバンド受容溝が配置され、その結果、ロール保持盤が樹脂パレットのうち桁部又はその近傍の上方に配置される。これにより、天盤に係るバンドの締め付け力を、その作用位置の近傍でロール保持盤で受けつつ、樹脂パレットがロール保持盤及び底盤を通してロールから受ける荷重を桁部又はその近傍で受け止めることができ、樹脂パレットの変形を抑えることができる。また、桁部によってバンドの横ずれも防ぐことができる。
【００１３】
［請求項４の発明］
請求項４のロール収容具によれば、樹脂パレット上にロール収容具を載置すると、底盤の下面位置決突部が樹脂パレットのデッキボードにおける網目に凹凸係合して、底盤が樹脂パレット上で二次元的に位置決めされる。これにより、搬送する際に樹脂パレット上でロール収容具がずれることが防がれる。
【図面の簡単な説明】
【００１４】
【図１】本発明の一実施形態に係るロール収容具の斜視図
【図２】ケースを透過したロール収容具の斜視図
【図３】ロールとパレットの斜視図
【図４】パレットの一部拡大斜視図
【図５】パレットの下面側の斜視図
【図６】ロール保持盤の前面側の斜視図
【図７】ロール保持盤の後面側の斜視図
【図８】底盤の上面側の斜視図
【図９】底盤の一部拡大斜視図
【図１０】底盤の下面側の斜視図
【図１１】天盤の下面側の斜視図
【図１２】天盤の一部拡大斜視図
【図１３】天盤の上面側の斜視図
【図１４】パレットに底盤を載置した状態の斜視図
【図１５】底盤にロール保持盤を載置した状態の斜視図
【図１６】ロール保持盤にてロールを保持した状態の斜視図
【図１７】底盤に筒形側壁の下端を嵌合した状態の斜視図
【図１８】筒形側壁の上端に天盤を嵌合した状態の斜視図
【図１９】ロール保持盤の上端部が天盤に当接した状態の斜視図
【図２０】ケースを透過したロール収容具の側面図
【図２１】ロール収容具を積み上げた状態の斜視図
【図２２】ロール収容具を分解した状態の斜視図
【図２３】ロール保持盤をパレットに寝かせて載置する直前の斜視図
【図２４】ロール保持盤をパレットに寝かせて載置する直前の一部拡大斜視図
【図２５】ロール保持盤を積み重ねる過程の斜視図
【発明を実施するための形態】
【００１５】
以下、本発明の一実施形態を図１〜図２５に基づいて説明する。図１には、本実施形態のロール収容具１０が、ロール８０を収容して、バンド９９にて樹脂パレット８３（以下、単に「パレット８３」という）上に固定された状態が示されている。図３に示すように、ロール８０は、円筒状の芯材８１にシート（例えば、紙、樹脂フィルム等）を巻き付けてなる。また、芯材８１の両端部は、ロール８０のうち芯材８１を除いたロール本体８２の両端面中央から突出している。なお、本実施形態では、ロール本体８２の軸長がロール本体８２の直径より大きくなっている。
【００１６】
パレット８３は、平面略長方形のデッキボード８４の下面に複数の桁部８５を備えた構造になっている。デッキボード８４は、全体が上下に貫通した網目を有する桟構造（メッシュ構造）をなしている。また、デッキボード８４の外縁部と縦横の中心線とに沿った部位には、比較的強度が大きな上面強化部８４Ａが備えられ、デッキボード８４の全体で上面強化部８４Ａが「田」の字形状になっている。そして、デッキボード８４のうち上面強化部８４Ａに囲まれた四角形の４つの領域には、上面強化部８４Ａより網目の大きな格子部８４Ｂが備えられている。なお、上面強化部８４Ａのうちデッキボード８４の長辺と平行に延びた１対の外縁部の上面強化部８４Ａは、他の上面強化部８４Ａに比べて幅狭になっている。
【００１７】
桁部８５は、デッキボード８４のうち上面強化部８４Ａ，８４Ａ同士の交差位置に配置されている。即ち、桁部８５は、デッキボード８４の四隅と、デッキボード８４の各外縁部における各中央部と、デッキボード８４の平面形状における図心との計９箇所に配置されている。また、各桁部８５は、パレット８３の上下方向全体に亘って延びた桁部筒壁９０を内側から補強壁にて補強した構造になっている。
【００１８】
図５に示すように、縦横の何れかの方向で隣り合った桁部８５，８５の下端部の間には、下面強化梁８６が差し渡され、その下面強化梁８６の全体が「田」の字形状になっている。そして、下面強化梁８６に囲まれた四角形の４つの領域が、上記した格子部８４Ｂに相当する構造体を有しない下面窓８３Ｗになっている。また、パレット８３の各側面において、四方をデッキボード８４と１対の桁部８５，８５と下面強化梁８６とに囲まれた部分がフォーク挿入口８７をなし、何れかの側面の１対のフォーク挿入口８７，８７からフォークリフトのフォークを挿入することができる。
【００１９】
パレット８３の網目のうち、本実施形態のロール収容具１０との係合に係る部位に関しては以下の通りである。図３に示すように、パレット８３のうち上面強化部８４Ａが「十」の字状に交差した部分の桁部８５と、「十」の字の４つの各先端に位置した桁部８５との間を連絡する各部位には、それぞれ３つずつの上面溝８８Ａが形成されている。それら３つの上面溝８８Ａは、上面強化部８４Ａの長手方向に沿って延びかつ上面強化部８４Ａの幅方向で横並びになっている。そして、後述する底盤１１の第１下面位置決突部２０群が上面溝８８Ａ群に凹凸係合する。
【００２０】
デッキボード８４の長辺方向Ｈ２（図３及び４参照）の両端部中央に位置した桁部８５，８５における桁部筒壁９０の内側上部は、図４に拡大して示すように、デッキボード８４の短辺方向Ｈ１（図４参照）と平行な複数の桁内横壁９７によって、例えば、５つの横長領域に区画されている。これら５つの横長領域をデッキボード８４の長辺方向Ｈ２の中央側から順番に第１〜第５の横長領域と呼ぶとすると、第４の横長領域は、デッキボード８４の長辺方向Ｈ２と平行な桁内縦壁９６によって２つの桁孔９４に区画されている。また、それ以外の第１〜第３及び第５の横長領域は、複数の桁内縦壁９６によって４つずつの桁孔９１（又は９２，９３，９５）に区画されている。そして、第２の横長領域における４つの桁孔９２のみに、後述するロール保持盤５０の４つの後側自立補助突部５８（図２４参照）の全体が凹凸係合可能になっている。
【００２１】
即ち、第３、第４、第５の横長領域は、第２の横長領域よりデッキボード８４の長辺方向Ｈ２の間隔が小さい。また、第１、第３及び第５の横長領域では、桁内縦壁９６と桁内横壁９７の縁部から補強リブ９８が張り出していて、隣り合った桁孔９１，９１同士等の間隔が桁孔９２，９２同士の間隔より広くなっている。これらにより、第１、第３、第４、第５の横長領域の桁孔９１，９３，９４，９５に対しては、それら開口縁に後側自立補助突部５８の一部が干渉して、複数の後側自立補助突部５８の全体が凹凸係合できないようになっている。
【００２２】
さて、ロール収容具１０は、図１に示したケース１０Ｋの内部に図２に示した１対のロール保持盤５０，５０を備え、それら１対のロール保持盤５０，５０にてロール８０を浮かせた状態に保持する構造になっている。なお、図２では、ケース１０Ｋが２点鎖線で示されており、そのケース１０Ｋを透過してロール収容具１０内を見た状態が示されている。
【００２３】
ロール保持盤５０は、合成樹脂の射出成形品であって、図６に示すように、全体が長方形の板状をなし、長手方向を縦にして自立させた状態で使用される。また、不使用時には、図２２に示すようにロール保持盤５０がパレット８３上に寝かされた状態で、交互に１８０度向きを変えて積み重ねられる。以下、ロール保持盤５０，５０のうち自立状態で互いに対向する面を前面、その反対側を後面と呼ぶと共に、自立状態のロール保持盤５０の上下方向（縦方向）及び左右方向（横方向）を、単に、ロール保持盤５０の上下方向（縦方向）及び左右方向（横方向）と呼ぶこととする。
【００２４】
図７に示すように、ロール保持盤５０は、略長方形の主平板５１の後面に後面リブ５３を一体成形して備えている。また、ロール保持盤５０の左右方向の中央には、上端部から上下方向の中央部に亘って芯材支持溝５５が形成されている。そして、主平板５１の外縁部及び芯材支持溝５５の内縁部から後面側に突出した包囲壁５２によって後面リブ５３全体が囲まれている。後面リブ５３は、複数の横後面リブ５３Ａと複数の縦後面リブ５３Ｂと複数の筋交い後面リブ５３Ｘとからなり、複数の横後面リブ５３Ａ及び縦後面リブ５３Ｂによって後面リブ５３全体が格子状になっている。また、筋交い後面リブ５３Ｘは、ロール保持盤５０の各角部寄り位置の間を対角線に沿って僅かに屈曲しながら延びて、ロール保持盤５０全体で「Ｘ」の文字状になっている。
【００２５】
芯材支持溝５５の内側下端部は、半円形に湾曲した湾曲部５５Ｃをなし、その芯材支持溝５５の１対の上端部に鉛直方向と平行になった１対の鉛直導入部５５Ｂ，５５Ｂが備えられている。また、芯材支持溝５５の内面のうち１対の鉛直導入部５５Ｂ，５５Ｂより上側部分は、上方に向かうに従って互いに徐々に離間するように傾斜した傾斜導入部５５Ａが備えられている。また、芯材支持溝５５の内面の上端縁からは直動規制鍔５５Ｆが内側に張り出している。
【００２６】
芯材支持溝５５の鉛直下方では、その他の部分に比べて縦後面リブ５３Ｂ同士の間隔が狭くなって、強度アップが図られている。また、芯材支持溝５５の鉛直下方のうち特に最下端の横後面リブ５３Ａと下辺の包囲壁５２との間では、その上方側よりさらに縦後面リブ５３Ｂ同士の間隔が狭くなっていて、それら狭い間隔で横並びになった後面リブ５３群の下端部から複数の後側自立補助突部５８が後方に突出している。
【００２７】
具体的には、各後面リブ５３の後縁部から突片５８Ｔが突出していて、それら突片５８Ｔの上面が、後面リブ５３の後縁部のうち上下方向の中間位置から斜め下方に傾斜して延び、突片５８Ｔの下面が、ロール保持盤５０の下辺の包囲壁５２における下面と面一になって後方に延びている。また、突片５８Ｔの後面は、突片５８Ｔの上面及び下面の後端部の間で鉛直に延びている。そして、このような形状の突片５８Ｔが、例えば８つ設けられて隣り合った４ペアの突片５８Ｔ，５８Ｔに分けられ、各ペアの突片５８Ｔ，５８Ｔの後縁と上縁との間が突片間連絡壁５８Ｓによって連絡されて、４つの後側自立補助突部５８が構成されている。
【００２８】
なお、各後側自立補助突部５８の内部では、縦後面リブ５３Ｂ，５３Ｂの後縁部同士の間が内部区画壁５８Ａによって閉塞され、それら内部区画壁５８Ａより前側には、内部区画壁５８Ａにて連絡された１対の縦後面リブ５３Ｂ，５３Ｂの間の空間を下方に開放する下面開口５８Ｂが包囲壁５２に貫通形成されている。
【００２９】
図６に示すように、ロール保持盤５０の下端の横方向における両端部からは、前方に前側自立補助突部５６，５６が突出している。各前側自立補助突部５６は、角柱状をなし、前側自立補助突部５６の下面は、ロール保持盤５０の下辺の包囲壁５２の下面と面一になっている。また、前側自立補助突部５６の一側面は、ロール保持盤５０の側辺の包囲壁５２における外面と面一になっている。また、各前側自立補助突部５６の前端面には、位置決突部５７が形成されている。その位置決突部５７は、ロール保持盤５０の後面の下側角部で横後面リブ５３Ａ、縦後面リブ５３Ｂ及び包囲壁５２によって四方を囲まれた升目５３Ｍ（図７参照。以下、「下端角部升目５３Ｍ」という）の丁度反対側に位置して、その下端角部升目５３Ｍと同じ形状になっている。
【００３０】
図７に示すように、ロール保持盤５０の後面における上側の両角部の近傍には、積上位置決突部５９，５９が設けられている。各積上位置決突部５９は、円筒状をなし、ロール保持盤５０の上辺及び側辺の包囲壁５２から僅かに内側にずれた位置に配置され、主平板５１の後面から立ち上がって後面リブ５３より後方に突出している。
【００３１】
ロール保持盤５０のうち積上位置決突部５９，５９の下方には、嵌合筒部５９Ｋ，５９Ｋが設けられている。嵌合筒部５９Ｋは、後面リブ５３より小さい突出量で主平板５１の後面から後方に突出した円筒状をなしている。また、嵌合筒部５９Ｋは、後端部が閉塞される一方、前端部がロール保持盤５０の前面側で開放していて、それら嵌合筒部５９Ｋ，５９Ｋの内側が積上位置決孔５４Ｂ，５４Ｂ（図６参照）になっている。そして、図２２に示すように、複数のロール保持盤５０を寝かせて交互に１８０度向きを変えて積み上げた際に、上側のロール保持盤５０の積上位置決突部５９，５９が、下側のロール保持盤５０の積上位置決孔５４Ｂ，５４Ｂに嵌合する。
【００３２】
図６に示すように、ロール保持盤５０の前面には、積上位置決孔５４Ｂ，５４Ｂの開口の上方に延びた積上ガイド溝５４，５４が形成されている。各積上ガイド溝５４は、積上位置決孔５４Ｂの内径と同じ幅をなし、積上ガイド溝５４の上端部には、主平板５１の前面から積上ガイド溝５４の奥面に向かって徐々に傾斜した傾斜面５４Ａが備えられている。また、積上ガイド溝５４内の両側部には、主平板５１の前面との間の段差面５４Ｄ，５４Ｄが備えられている。
【００３３】
なお、ロール保持盤５０の両側面における上下方向の複数位置には角溝状の複数のバンド受容溝５２Ａが陥没形成されている。また、ロール保持盤５０の上面における横方向の両端寄り位置には、バンド受容溝５２Ａより幅狭でかつ深いポール受容溝５２Ｂ，５２Ｂが陥没形成されている。
【００３４】
ロール収容具１０のうちロール保持盤５０，５０を収容するケース１０Ｋは、図１に示すように、筒形側壁７０と、その筒形側壁７０の下面開口及び上面開口を閉塞する底盤１１及び天盤３１とからなる。筒形側壁７０は、例えば、樹脂板、段ボールで構成され、断面長方形の角筒状になっている。一方、底盤１１及び天盤３１は、樹脂シートの真空成形品であって、全体がパレット８３の平面形状に対応した長方形の板状をなし、所定箇所に凹凸を有している。なお、底盤１１及び天盤３１における表裏両面のうち一方の面の突部は他方の面の凹部になり、一方の面の凹部は他方の面の突部になっている。
【００３５】
詳細には、底盤１１は、図８に示すように、長方形の主板部１２を有し、その主板部１２の外縁部全体から上方に膨出した側壁下端嵌合部１３を備えている。そして、側壁下端嵌合部１３の内側に筒形側壁７０が嵌合する。また、枠状の側壁下端嵌合部１３の各辺における長手方向の複数位置には、外側面を角溝状に陥没させた外側面溝１３Ａと、上面及び内側面を角溝状に陥没させた上内側面溝１３Ｂとが交互に並べて形成され、これら外側面溝１３Ａ及び上内側面溝１３Ｂの段差壁によって側壁下端嵌合部１３が強化されている。
【００３６】
底盤１１のうち側壁下端嵌合部１３の内側領域には、側壁下端嵌合部１３寄り位置に複数の内ズレ規制突部１５が膨出形成されている。それら内ズレ規制突部１５は、側壁下端嵌合部１３の各長辺部分の中央位置とその両横位置、及び、側壁下端嵌合部１３の各短辺部分の中央位置とに対向するように配置されて、それぞれ側壁下端嵌合部１３と平行に延びている。そして、それら内ズレ規制突部１５群が筒形側壁７０の内側に嵌合する。
【００３７】
底盤１１のうち内ズレ規制突部１５群より更に内側には、底盤１１における長辺方向Ｈ３（図８参照）の中心と短辺方向Ｈ４（図８参照）の中心とに沿ってそれぞれ中心補強突条１４，１４が膨出形成されて、それら中心補強突条１４，１４が底盤１１の中央で直交している。また、各中心補強突条１４における長手方向の複数位置には、両側面を角溝状に陥没させた側面溝１４Ｂと、上面を角溝状に陥没させた上面溝１４Ａとが交互に並べて形成されて側壁下端嵌合部１３と同様に強化されている。
【００３８】
底盤１１の長辺方向Ｈ３の中央の中心補強突条１４の両端部には内ズレ規制突部１５，１５が接続されている。一方、底盤１１の短辺方向Ｈ４の中央で長辺方向Ｈ３に延びた中心補強突条１４の両端部は、内ズレ規制突部１５，１５から離れた位置に配置され、それら中心補強突条１４の両端部と内ズレ規制突部１５，１５との間に、ロール保持盤５０を自立状態に載置するための保持盤載置領域Ｒ１，Ｒ１が設けられている。
【００３９】
保持盤載置領域Ｒ１，Ｒ１は、底盤１１の短辺方向Ｈ４に延びている。また、保持盤載置領域Ｒ１寄りの中心補強突条１４の各端部の両側方には保持盤前側位置決突部１９，１９が設けられ、それら保持盤前側位置決突部１９，１９との間に保持盤載置領域Ｒ１を挟んだ位置に保持盤後側位置決突部１６，１６が設けられている。そして、これら保持盤前側位置決突部１９と保持盤後側位置決突部１６とによって、本発明に係る保持盤下端位置決部１１Ｋが構成されている。
【００４０】
各保持盤前側位置決突部１９は、底盤１１の長辺方向Ｈ３に平行に延びた側壁下端嵌合部１３と中心補強突条１４との間隔の略１／３程度の長さをなして、底盤１１の短辺方向Ｈ４に延び、それら側壁下端嵌合部１３と中心補強突条１４との間の中央に配置されている。また、保持盤後側位置決突部１６も、底盤１１の短辺方向Ｈ４に延び、その保持盤後側位置決突部１６のうち底盤１１の短辺方向Ｈ４における中央寄りの一端部は、保持盤前側位置決突部１９の一端部と略同じ位置に配置される一方、保持盤後側位置決突部１６の他端は、底盤１１の長辺方向Ｈ３に延びた側壁下端嵌合部１３寄り位置に配置されている。そして、保持盤載置領域Ｒ１にロール保持盤５０が載置されると、図１５に示すように、ロール保持盤５０が互いに対向する保持盤後側位置決突部１６と保持盤前側位置決突部１９との間で挟まれ、１対の保持盤前側位置決突部１９，１９の両外側にロール保持盤５０の１対の前側自立補助突部５６，５６が収まる。そして、保持盤後側位置決突部１６及び保持盤前側位置決突部１９の互いに対向した前後位置決面１６Ｔ，１９Ｔがロール保持盤５０の後面と前面とに隣接して底盤１１に対するロール保持盤５０の前後方向の移動が規制され、１対の保持盤前側位置決突部１９，１９の外側の側部に位置した横位置決面１９Ｓ，１９Ｓが前側自立補助突部５６，５６に隣接して底盤１１に対するロール保持盤５０の左右方向の移動が規制される。また、ロール保持盤５０の後側自立補助突部５８群は、主板部１２のうち１対の保持盤後側位置決突部１６，１６との間に収まる。
【００４１】
なお、前後位置決面１６Ｔと主板部１２との角部における成形状の曲面と、ロール保持盤５０の下面と前面との角部先端との干渉を避けるために、図９に示すように、保持盤後側位置決突部１６の前後位置決面１６Ｔと主板部１２における前後位置決面１６Ｔの前方部分とには、第１逃がし溝１６Ａと第２逃がし溝１６Ｂとが交互に並べて形成されている。図８に示すように、保持盤前側位置決突部１９の保持盤前側位置決突部１９と主板部１２における前後位置決面１９Ｔの前方部分とにも、同様に第１逃がし溝１９Ａと第２逃がし溝１９Ｂとが交互に並べて形成されている。また、保持盤後側位置決突部１６のうち保持盤前側位置決突部１９と反対側の面には、筒形側壁７０の内側へのズレを規制するための内ズレ規制補助突部１７が一体に設けられ、保持盤後側位置決突部１６のうち側壁下端嵌合部１３寄りの一側面にも筒形側壁７０の内側へのズレを規制するための内ズレ規制補助突部１８が一体に設けられている。
【００４２】
図１０に示すように、底盤１１の下面には、各中心補強突条１４（図８参照）の両側方位置に、第１下面位置決突部２０が膨出形成されている。第１下面位置決突部２０は、中心補強突条１４，１４同士の交差部分から離れた位置でそれぞれ中心補強突条１４と平行の延びている。また、底盤１１の下面のうち各第１下面位置決突部２０の側方位置と、底盤１１のうち各保持盤前側位置決突部１９の横位置決面１９Ｓ（図８参照）の側方位置とには、四角形の第２下面位置決突部２１が形成されている。さらに、各底盤１１のうち保持盤後側位置決突部１６，１６の間でかつ第１下面位置決突部２０，２０の延長線上となる位置には、第２下面位置決突部２１より小さい四角形の第３下面位置決突部２３が膨出形成されている。そして、底盤１１をパレット８３上に載置したときに、これら第１下面位置決突部２０が上記したパレット８３の上面溝８８Ａ（図３参照）に凹凸係合し、第２下面位置決突部２１がパレット８３における上面強化部８４Ａ（図３参照）の何れかの網目に凹凸係合し、さらに、第３下面位置決突部２３がパレット８３における桁孔９１（図４参照）に凹凸係合する。これらによりパレット８３に対する底盤１１の横ずれが防がれる。
【００４３】
天盤３１は、図１１に示されており、底盤１１と同様に、長方形の主板部３２を有し、その主板部３２の外縁部全体から下方に膨出した枠形の側壁上端嵌合部３３を備え、主板部３２の外縁寄り位置には複数の内ズレ規制突部３５が膨出形成されている。そして、側壁上端嵌合部３３と内ズレ規制突部３５群との間に筒形側壁７０の上端部が嵌合する。また、側壁上端嵌合部３３には、底盤１１の側壁下端嵌合部１３と同様に、複数の外側面溝３３Ａ及び下内側面溝３３Ｂが陥没形成されている。
【００４４】
天盤３１の長辺方向Ｈ５の両端寄り位置には、保持盤当接領域Ｒ２，Ｒ２が設けられ、それら保持盤当接領域Ｒ２，Ｒ２は、天盤３１の短辺方向Ｈ６に延びている。そして、底盤１１の保持盤載置領域Ｒ１，Ｒ１にロール保持盤５０，５０を載置し、底盤１１の側壁下端嵌合部１３に筒形側壁７０を嵌合した状態で、その筒形側壁７０の上端部に天盤３１の側壁上端嵌合部３３を嵌合すると、ロール保持盤５０，５０の上面が天盤３１の保持盤当接領域Ｒ２，Ｒ２に当接する。
【００４５】
天盤３１の下面には、底盤１１の保持盤後側位置決突部１６（図８参照）と上下方向で対向する位置に保持盤後側位置決突部３６が膨出形成されると共に、底盤１１の保持盤前側位置決突部１９（図８参照）と上下方向で対向する位置に保持盤前側位置決突部３９が膨出形成されている。そして、これら保持盤後側位置決突部３６と保持盤前側位置決突部３９とから、本発明に係る保持盤上端位置決部３１Ｋが構成されている。
【００４６】
保持盤前側位置決突部３９は、短辺方向Ｈ６に延び、保持盤前側位置決突部３９のうち保持盤当接領域Ｒ２側を向いた面は、主板部３２に対して僅かに傾斜しかつ平坦な前後位置決面３９Ｔになっている。一方、保持盤後側位置決突部３６は、天盤３１の短辺方向Ｈ６では、保持盤前側位置決突部３９と略同じ大きさをなし、保持盤後側位置決突部３６における保持盤後側位置決突部１６との対向面には、上下方向に延びた１対の当接突条３６Ａ，３６Ａが膨出形成されている。図１２に示すように、それら当接突条３６Ａ，３６Ａのうち保持盤前側位置決突部３９との対向面は、主板部３２に対して僅かに傾斜しかつ平坦な前後位置決面３６Ｔになっている。また、保持盤後側位置決突部３６の前後位置決面３６Ｔの方が、保持盤前側位置決突部３９の前後位置決面３９Ｔより主板部３２に対して直角に近い角度で交差している。そして、図１９に示すように、ロール保持盤５０の後面と前面とに保持盤後側位置決突部３６Ｔ，３９Ｔが隣接して、天盤３１に対するロール保持盤５０の前後方向における位置ずれを規制している。
【００４７】
なお、保持盤後側位置決突部３６のうち保持盤前側位置決突部３９と反対側の面には、筒形側壁７０の内側へのズレを規制するための内ズレ規制補助突部３７が一体に設けられている。
【００４８】
図１３に示すように、天盤３１の上面には、パレット８３の下面の下面窓８３Ｗ（図５参照）に凹凸係合可能な４つの第１上面位置決突部４４が設けられている。また、天盤３１の上面には、天盤３１の長辺方向Ｈ５における両端寄り位置から１対ずつの第２上面位置決突部４５，４５が突出している。そして、図２１に示すように、ロール収容具１０の上にパレット８３が積み上げられると、そのパレット８３の下面窓８３Ｗ（図５参照）に第１上面位置決突部４４が嵌合すると共に、第２上面位置決突部４５がパレット８３における桁部８５の下面の格子孔８５Ｋ（図５参照）に嵌合して、天盤３１に対して上側のパレット８３の位置ずれが防がれる。
【００４９】
また、天盤３１の下面側では、各第１上面位置決突部４４の裏側部分が図１１に示した陥没部４４Ａをなし、それら陥没部４４Ａが各保持盤前側位置決突部３９より天盤３１の長辺方向Ｈ５の中央寄りに位置している。そして、天盤３１の長辺方向Ｈ５で隣り合った陥没部４４Ａ，４４Ａの間を連絡するように１対の第１膨出突条４０，４０が平行に延び、天盤３１の短辺方向Ｈ６で隣り合った陥没部４４Ａ，４４Ａの間を連絡するように１対の第２膨出突条４１，４１が平行に延び、さらに、対角に配置された陥没部４４Ａ，４４Ａの間を連絡するように１対の第３膨出突条４２，４２がクロスして延びている。また、天盤３１の長辺方向Ｈ５で隣り合った保持盤前側位置決突部３９と陥没部４４Ａとの間には、第４膨出突条４３が延びている。なお、第２及び第３の膨出突条４１，４２の下面は、ロール８０の外周面と略同心の円弧状に湾曲した円弧面４１Ａ，４２Ａになっている。
【００５０】
天盤３１の外縁部における１対の長辺部分の両端寄り位置には、バンド受容溝４８が形成されている。図１２に示すように、バンド受容溝４８は、側壁上端嵌合部３３の外側面を構成する外側壁部の上端をＶ字状に切除してなる。バンド受容溝４８内には、下方に向かうに従って互いに接近するように傾斜した１対の傾斜面４８Ａ，４８Ａと、水平な奥面４８Ｂとが備えられている。また、バンド受容溝４８が形成された部分の下方には、下内側面溝３３Ｂが配置されている。さらに、バンド受容溝４８の奥面４８Ｂは、天盤３１を下方からみて保持盤当接領域Ｒ２の延長領域内に配置されるようになっている。なお、天盤３１の外縁部における１対の短辺部分の両端寄り位置にも、バンド受容溝４８と同一構造のバンド受容溝４９が形成されている。
【００５１】
本実施形態のロール収容具１０の構成に関する説明は以上である。次に、このロール収容具１０の作用効果について説明する。ロール収容具１０は、不使用時には、例えば、底盤１１と天盤３１とロール保持盤５０，５０と筒形側壁７０とに分けて保管される。そして、ロール収容具１０を使用するときには、以下の手順で組み立てながらロール８０を収容する。即ち、図１４に示すように、パレット８３の上に底盤１１を載置する。すると、図１０に示した底盤１１の下面の第１下面位置決突部２０等が図３に示したパレット８３の上面溝８８Ａ等に凹凸係合して、底盤１１がパレット８３上で二次元的に位置決めされる。
【００５２】
次いで、底盤１１の保持盤載置領域Ｒ１，Ｒ１（図８参照）の上に１対のロール保持盤５０，５０を載置する。すると、図１５に示すように、底盤１１に備えた保持盤下端位置決部１１Ｋによって１対のロール保持盤５０，５０が底盤１１上で二次元的に位置決めされて自立した状態になる。また、底盤１１とパレット８３との位置決めにより、１対のロール保持盤５０，５０は、パレット８３における桁部８５の上方に配置される。
【００５３】
次いで、ロール８０のうち円筒状の芯材８１の内部に図示しないシャフトを挿通して芯材８１の両端部から突出させる。そして、そのシャフトの両端部をロープで吊り、１対のロール保持盤５０，５０の上方から芯材支持溝５５，５５内に芯材８１の両端部を降下させる。すると、芯材８１の両端部が芯材支持溝５５の傾斜導入部５５Ａ，５５Ａ（図６参照）によってロール保持盤５０の左右方向の中心に案内され、鉛直導入部５５Ｂ，５５Ｂ（図６参照）の間を通って芯材支持溝５５の下端部の湾曲部５５Ｃ（図６参照）に収まる。そして、図１６に示すように、ロール８０が１対のロール保持盤５０，５０によって底盤１１から浮いた状態に保持される。また、この状態で芯材８１の両端面と芯材支持溝５５の縁部の直動規制鍔５５Ｆとが対向する。
【００５４】
次いで、図１７に示すように、１対のロール保持盤５０，５０の上方からそれらの外側に筒形側壁７０を挿通して、筒形側壁７０の下端部を底盤１１の側壁下端嵌合部１３の内側に嵌合する。なお、筒形側壁７０を、例えば対角位置に配置された１対の角部で１対の筒形側壁構成体に２分割しておき、それら筒形側壁構成体をロール保持盤５０の側方から側壁下端嵌合部１３の内側に起立させて、筒形側壁７０を側壁下端嵌合部１３の内側に嵌合した状態にしてもよい。
【００５５】
次いで、図１８に示すように、筒形側壁７０の上端部に天盤３１を被せて、天盤３１における側壁上端嵌合部３３の内側に筒形側壁７０の上端部を嵌合する。すると、天盤３１の保持盤当接領域Ｒ２，Ｒ２（図１１参照）にロール保持盤５０，５０の上端部が当接すると共に、図１９に示すように、天盤３１の保持盤上端位置決部３１Ｋによってロール保持盤５０，５０の上端部がロール８０の軸方向で天盤３１に対して位置決めされた状態になる。
【００５６】
次いで、図１に示すように、バンド９９にてロール収容具１０をパレット８３に固定する。そのためには、天盤３１の長手方向の両端寄り位置で、天盤３１の短手方向に横切るようにバンド９９，９９を配置する。そして、図２０に示すように、それらバンド９９，９９を、天盤３１の外縁部のバンド受容溝４８，４８に収めて鉛直に垂下させ、パレット８３のフォーク挿入空間８７Ｋ，８７Ｋに挿通してから締める。ここで、バンド受容溝４８は、ロール保持盤５０の側方への延長領域内に配置されているので、天盤３１に対するバンド９９の締め付け力を、天盤３１のうち締め付け力の作用位置の近傍でロール保持盤５０にて受け止めることができる。これにより、天盤３１の変形が抑えられる。また、ロール収容具１０が上述したように底盤１１の下面とパレット８３の上面との凹凸係合によって二次元的に位置決めされることで、天盤３１のバンド受容溝４８は、図２０に示すように、パレット８３におけるフォーク挿入口８７の上方領域でかつパレット８３の四隅の桁部８５寄りとなる位置に位置決めされる。これにより、天盤３１に係るバンド９９の締め付け力を、その作用位置の近傍でロール保持盤５０で受けつつ、ロール保持盤５０をパレット８３の桁部８５又はその近傍の上方に配置することができる。そして、パレット８３がロール保持盤５０及び底盤１１を通してロール８０から受ける荷重を桁部８５又はその近傍で受け止めることができ、パレット８３の変形を抑えることができる。また、桁部８５によってバンド９９の横ずれも防ぐことができる。
【００５７】
以上により、ロール収容具１０へのロール８０の収容作業及びロール収容具１０のパレット８３に対するバンド固定作業が完了する。このように、本実施形態のロール収容具１０によれば、従来のように作業者がロール保持盤を起立状態に保持する等の手間が不要になり、効率よくロール８０を収容する作業を行うことができる。また、ロール８０を収容したロール収容具１０が搬送中に横揺れを受けても、ロール保持盤５０，５０の上下両端部がケース１０Ｋによってロール８０の軸方向で位置決めされているので、ケース１０Ｋ内でロール保持盤５０，５０が離間するようなことはなく、ロール８０を安定して搬送することができる。
【００５８】
なお、より強固にロール保持盤５０，５０同士の間が広がらないようにするために、ケース１０Ｋ内の１対のロール保持盤５０，５０にバンドを掛け渡すように巻き付けておいてもよい。その際、ロール保持盤５０の側面のバンド受容溝５２Ａ（図６参照）を利用することができる。また、１対のロール保持盤５０，５０のポール受容溝５２Ｂ，５２Ｂに図示しないポールの両端寄り位置を受容すると共に、そのポールの両端部に形成した螺子にナットを螺合し、それらナットをロール保持盤５０の後面に係止することで、１対のロール保持盤５０，５０同士の上端部の開きをより確実に防ぐこともできる。
【００５９】
また、図２１に示すように、ロール収容具１０の上に、パレット８３に固定された別のロール収容具１０を積み上げてもよい。すると、上側のパレット８３の下面の下面窓８３Ｗ（図５参照）等に、下側のロール収容具１０における天盤３１の上面の第１上面位置決突部４４等（図１３参照）が凹凸係合し、横ずれを防いだ状態でロール収容具１０を複数積み上げることができる。これにより、パレット８３と共にロール収容具１０を複数積み上げた状態でも安定して搬送することができる。
【００６０】
なお、ロール収容具１０は、不使用時には、図２２に示すように、底盤１１と天盤３１とロール保持盤５０をそれぞれ別々のパレットに積み上げておけばよい。その際、天盤３１に関しては、パレット８３の上に別のパレット８３を上下を逆転させて載置し、その上に天盤３１を上下を逆転させた状態で積み上げればよい。
【００６１】
また、ロール保持盤５０に関しては、後面を下方にして寝かせ、交互に１８０度向きを変えて積み上げればよい。その際、最下端のロール保持盤５０を寝かせた状態でパレット８３上に載置するには、図２３に示すように、ロール保持盤５０の４つの後側自立補助突部５８を、パレット８３の長手方向における一端中央の桁部８５の上方に配置し、それら後側自立補助突部５８を図２４に示すように桁部８５内の４つの桁孔９２に挿入する。すると、パレット８３に対してロール保持盤５０が位置決めされ、ロール保持盤５０の積上位置決突部５９が格子部８４Ｂの所定の網目に挿入される。そして、そのロール保持盤５０の上に図２５に示すように、別のロール保持盤５０を載置するには、下側のロール保持盤５０に対して上側のロール保持盤５０を１８０度向きを変え、上側のロール保持盤５０の積上位置決突部５９，５９を下側のロール保持盤５０の積上位置決孔５４Ｂ，５４Ｂに挿入する。その際、積上位置決突部５９を積上ガイド溝５４内で滑らせると効率良く作業を行うことができる。そして、更に別のロール保持盤５０を同様の作業で積み上げると、２つ下のロール保持盤５０の位置決突部５７が、ロール保持盤５０の下面の下端角部升目５３Ｍ（図７参照）に凹凸嵌合し、積上位置決突部５９と積上位置決孔５４Ｂとの凹凸嵌合と協働してロール保持盤５０，５０同士の位置ずれを防ぐことができる。
【００６２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記実施形態の底盤１１，天盤３１及びパレット８３は、平面形状が長方形であったが、正方形であってもよい。
【００６４】
（２）前記バンド受容溝４８は、ロール保持盤５０の側方への延長領域内に配置されていたが、バンド受容溝４８をロール保持盤５０の側方への延長領域からずれた近傍位置に配置してもよい。
【００６５】
（３）前記実施形態のロール収容具１０は、芯材８１の両端部がロール本体８２の両端面から突出していて、その芯材８１の両端部が１対のロール保持盤５０，５０の芯材支持溝５５，５５に受容されて支持される構成になっていたが、例えば、芯材の両端部がロール本体の両端面から全く突出していないか又は僅かしか突出していないロールにおいて、芯材の両端部内側に図示しない１対の延長部材を嵌合し、それら１対の延長部材をロール保持盤における１対の芯材支持溝に受容して支持する構成にしてもよい。
【００６６】
（４）前記実施形態のロール収容具１０は、１対のロール保持盤５０，５０で１つのロール８０を底盤１１から浮かせた状態にして支持する構造になっていたが、各ロール保持盤に複数の芯材支持溝を設けておき、１対のロール保持盤で複数のロールを底盤から浮かせ状態にして支持するものに本発明を適用してもよい。
【符号の説明】
【００６７】
１０    ロール収容具
１１    底盤
１１Ｋ    保持盤下端位置決部
１３    側壁下端嵌合部
１６    保持盤後側位置決突部
１９    保持盤前側位置決突部
２０    第１下面位置決突部
２１    第２下面位置決突部
２３    第３下面位置決突部
３１    天盤
３１Ｋ  保持盤上端位置決部
３３    側壁上端嵌合部
３６    保持盤後側位置決突部
３９    保持盤前側位置決突部
４８    バンド受容溝
５０    ロール保持盤
５５    芯材支持溝
７０    筒形側壁
８０    ロール
８１    芯材
８２    ロール本体
８３    パレット
８５    桁部
８７    フォーク挿入口
９９    バンド
【図１】
0005954815.tif 000002
【図２】
0005954815.tif 000003
【図３】
0005954815.tif 000004
【図４】
0005954815.tif 000005
【図５】
0005954815.tif 000006
【図６】
0005954815.tif 000007
【図７】
0005954815.tif 000008
【図８】
0005954815.tif 000009
【図９】
0005954815.tif 000010
【図１０】
0005954815.tif 000011
【図１１】
0005954815.tif 000012
【図１２】
0005954815.tif 000013
【図１３】
0005954815.tif 000014
【図１４】
0005954815.tif 000015
【図１５】
0005954815.tif 000016
【図１６】
0005954815.tif 000017
【図１７】
0005954815.tif 000018
【図１８】
0005954815.tif 000019
【図１９】
0005954815.tif 000020
【図２０】
0005954815.tif 000021
【図２１】
0005954815.tif 000022
【図２２】
0005954815.tif 000023
【図２３】
0005954815.tif 000024
【図２４】
0005954815.tif 000025
【図２５】
0005954815.tif 000026